(57)【要約】      （修正有）【課題】ウォーターサーバーに装着可能で、容器の開封に際しては、容器外側に付着した塵埃等が飲料水に混入することを防止することが可能で、かつ飲料水の風味の劣化も防止することが可能な、飲料水容器を提供する。【解決手段】飲料水容器は、容器本体と、スパウト２、および蓋シール１０から構成され、容器本体には、スパウトが先端部を外側に突き出して接着され、スパウトの先端部は開口部３を有しており、開口部は蓋シールで密封されており、蓋シールは、シーラント層４、およびプラスチックフィルム層５の積層体で構成され、スパウトの開口部は、蓋シールのシーラント層によって、シールされて密封されており、プラスチックフィルム層は、蓋シールの容器外側表面に、シーラント層から剥離容易に積層されていることを特徴とする、飲料水容器である。【選択図】図１
2020066437.tif 000002
【特許請求の範囲】
【請求項１】
飲料水を収容し、ウォーターサーバーのボトルホルダーに設置し、ボトルホルダーのニードルで穿孔することによって、飲料水をウォーターサーバーに注出する飲料水容器において、
飲料水容器は、容器本体と、スパウト、および蓋シールから構成され、
容器本体には、スパウトが先端部を外側に突き出して接着され、スパウトの先端部は開口部を有しており、開口部は蓋シールで密封されており、
蓋シールは、シーラント層、およびプラスチックフィルム層の積層体で構成され、
スパウトの開口部は、蓋シールのシーラント層によって、シールされて密封されており、
プラスチックフィルム層は、蓋シールの容器外側表面に、シーラント層から剥離容易に積層されていることを特徴とする、飲料水容器。
【請求項２】
前記蓋シールは、飲料水容器内側から、シーラント層、ハクリニス層、およびプラスチックフィルム層の積層体から構成されることを特徴とする、請求項１に記載の飲料水容器。
【請求項３】
前記蓋シールには、飲料水容器内側からハーフカット線を設けてあることを特徴とする、請求項１または請求項２に記載の飲料水容器。
【発明の詳細な説明】
【技術分野】
【０００１】
本発明は、飲料水容器に関するものである。特にプラスチックフィルム、あるいはプラスチックの被膜からなる、飲料水を収納可能な飲料水容器であって、ウォーターサーバーに装着可能で、その取水口に接続して、内容物の飲料水をウォーターサーバー側に必要量注ぎ出すことが可能な飲料水容器である。
【背景技術】
【０００２】
近年水への関心が高まっており、例えば天然水やＲＯ水を飲料用にする目的や、乳児用のミルクのための安全な水などを、家庭や店舗、あるいは各種施設で手軽に使うことを目的として、ウォーターサーバーの需要が徐々に増えているといわれる。
【０００３】
多くは天然水やＲＯ水が充填されたボトルをウォーターサーバーに装着して、取水口を介して必要量をくみ出すことができるというものである。その一方では、特許文献１に提案されているように、ボトルを用いるのではなく、軟素材を用いた飲料水容器による飲料水容器が提案されている。
【０００４】
例えば特許文献１に示されているように、一般にこのようなウォーターサーバー用の容器は、飲料水容器を受けるボトルホルダーの底部に設けられたニードルによって袋の底に穴があけられて飲料水が注出され、冷却タンクまたは加熱タンクに貯められる仕組みになっている。
【０００５】
しかしながら、このような飲料水容器は、穿孔される箇所に筒状の穿孔補助部材が設けられ、穿孔時のニードルと飲料水容器との位置あわせや、穿孔してセットした後の位置ズレの防止に用いられる。
【０００６】
また流通過程において、穿孔補助部材内の、容器本体に付着した塵埃が穿孔の際に飲料水に混入することを防ぐために、穿孔補助部材の上端に剥離可能な蓋材を粘着材を用いて取り付ける場合があった。
【０００７】
しかしながら粘着材を用いて取り付けた場合、剥離後に穿孔補助部材に残った粘着剤が飲料水に触れることによって、粘着材の臭いが飲料水に移って飲料水の味の劣化を引き起こすおそれがあった。
【０００８】
なお、飲料水容器は内容物として飲料水を充填する場合に限らず、液体であれば飲料水同様に充填して液体容器として用いることが可能である。
【先行技術文献】
【特許文献】
【０００９】
【特許文献１】特開２０１１−４６４４６号公報
【発明の概要】
【発明が解決しようとする課題】
【００１０】
本発明はこのような状況に鑑みてなされたものであり、ウォーターサーバーに装着可能で、容器の開封に際しては、容器外側に付着した塵埃等が飲料水に混入することを防止することが可能で、かつ飲料水の風味の劣化も防止することが可能な、飲料水容器の提供を課題とする。
【課題を解決するための手段】
【００１１】
上記の課題を解決するための手段として、請求項１に記載の発明は、
飲料水を収容し、ウォーターサーバーのボトルホルダーに設置し、ボトルホルダーのニードルで穿孔することによって、飲料水をウォーターサーバーに注出する飲料水容器において、
飲料水容器は、容器本体と、スパウト、および蓋シールから構成され、
容器本体には、スパウトが先端部を外側に突き出して接着され、スパウトの先端部は開口部を有しており、開口部は蓋シールで密封されており、
蓋シールは、シーラント層、およびプラスチックフィルム層の積層体で構成され、
スパウトの開口部は、蓋シールのシーラント層によって、シールされて密封されており、
プラスチックフィルム層は、蓋シールの容器外側表面に、シーラント層から剥離容易に積層されていることを特徴とする、飲料水容器である。
【００１２】
また、請求項２に記載の発明は、
前記蓋シールは、飲料水容器内側から、シーラント層、ハクリニス層、およびプラスチックフィルム層の積層体から構成されることを特徴とする、請求項１に記載の飲料水容器である。
【００１３】
また、請求項３に記載の発明は、
前記蓋シールには、飲料水容器内側からハーフカット線を設けてあることを特徴とする、請求項１または請求項２に記載の飲料水容器である。
【発明の効果】
【００１４】
本発明によれば、ウォーターサーバーに装着可能で、容器の開封に際しては、容器外側に付着した塵埃等が飲料水に混入することを防止することが可能で、かつ飲料水の風味の劣化も防止することが可能な、飲料水容器の提供が可能である。
【００１５】
すなわち、ウォーターサーバー側からニードルで穿孔する作業に先行して、蓋シールのプラスチックフィルム層を剥離して除去することによって、蓋シール外側および周辺に付着した塵埃や汚れが、穿孔によって飲料水容器内側に入り込むことを防止することができる。
【００１６】
また、蓋シールは粘着材を用いることなく、シーラント層によってスパウトと接着されているので、粘着剤由来の異臭が飲料水の風味を損ねることがない。加えてシーラント層による密封は、キャップ等のよるものと比べて、より高度に密封を行なうことが可能である。
【００１７】
特に請求項２に記載の発明によれば、蓋シールが、飲料水容器内側から、シーラント層、ハクリニス層、およびプラスチックフィルム層から構成されることによって、特にハクリニス層を設けることによって、蓋シール表面のプラスチックフィルム層の易剥離を安定して実現することができる。
【００１８】
すなわち、ハクリニスの成分、層構造を調整することによってプラスチックフィルム層の剥離状態を、ハクリニス層内の凝集剥離、あるいはハクリニス層とシーラント層との層間剥離とすることができるために、シーラント層とスパウト開口部のシール条件によることなく、プラスチックフィルム層を、容易にかつ安定して剥離することができる蓋シールとすることが可能である。
【００１９】
また特に請求項３に記載の発明によれば、飲料水容器内側からハーフカット線を設けて
あることによって、より安定した飲料水容器の穿孔、それによる飲料水の注出を実現することができる。
【００２０】
すなわちハーフカット線によって、蓋シールには脆弱化した部分が形成され、穿孔の作業においてより容易に安定した作業を行なうことができる。
【図面の簡単な説明】
【００２１】
【図１】図１は、本発明に係る飲料水容器の一実施態様を説明するための、部分断面模式図である。
【図２】図２は、本発明に係る飲料水容器の一実施態様において、蓋シールの表面のプラスチックフィルム層を界面剥離した状態を説明するための、部分断面模式図である。
【図３】図３は、本発明に係る飲料水容器の一実施態様において、蓋シールの表面のプラスチックフィルム層を剥離したのち、ニードルによる穿孔およびウォーターサーバー側への接続の状態を説明するための、部分断面模式図である。
【図４】図４は、本発明に係る飲料水容器の他の実施態様のうち、ハクリニス層を設けた例を説明するための、部分断面模式図である。
【図５】図５は、本発明に係る飲料水容器の他の実施態様のうち、ハクリニス層を設けた例において、凝集剥離する場合を説明するための、部分断面模式図である。
【図６】図６は、本発明に係る飲料水容器の他の実施態様のうち、ハクリニス層を設けた例において、層間剥離する場合を説明するための、部分断面模式図である。
【図７】図７は、本発明に係る飲料水容器の実施態様のうち、ハクリニス層を設けた例において蓋シールにハーフカット線を設けた場合を説明するための、部分断面模式図である。
【発明を実施するための形態】
【００２２】
以下、本発明を図１〜図７を参照しながら、更に詳しい説明を加える。ただし本発明は、ここに示す例にのみ限定されるものではない。本発明は、請求項によって限定されるものである。
【００２３】
図１は、本発明に係る飲料水容器の一実施態様を説明するための、部分断面模式図である。
【００２４】
本発明は、プラスチックフィルムを基材とする積層体（１）から、容器本体が構成される飲料水容器である。また、この飲料水容器は、ウォーターサーバーのボトルホルダーに設置可能である。
【００２５】
ここで、プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００２６】
特にポリプロピレン、ポリエチレンテレフタレートをプラスチックフィルムとする場合は、フィルム強度と価格においてより好ましい。そのほか延伸ポリアミドフィルムを用いる場合には、プラスチックフィルムを基材とする積層体（１）に突き刺しに対する強靭性や、衝撃に対する強靭性を付与することができる。
【００２７】
またプラスチックフィルムは、接着剤層を介して他の層と積層してプラスチックフィルムを基材とする積層体（１）とすることができる。プラスチックフィルムを基材とする積層体（１）の層構成やその材料構成、厚さなどは、容器本体に対する要求品質に応じて適
宜設計することができる。
【００２８】
たとえばプラスチックフィルムを基材とする積層体（１）中に、着色層を設けて外部の光線の影響を遮断する場合や、アルミニウムを代表とする金属箔層、或いは無機化合物をプラスチックフィルム表面に蒸着したガスバリアフィルム層を含む場合には、積層体には高度のガスバリア性を付与されるために、内容液は外部環境の影響を遮断され、保存性や、外部の酸素などによる酸化、変質を防止することが可能である。
【００２９】
また、飲料水容器は容器本体から外側に突き出した、別部材のプラスチック成形品からなるスパウト（２）を有しており、スパウト（２）の開口部（３）は、蓋シール（１０）で密封されている。スパウト（２）は図１に示す形状のものでよいが、さらに中栓やキャップを用いることもできる。
【００３０】
またスパウト（２）の材質は、特段の限定を加えるものではないが、たとえば一般的なポリオレフィン系樹脂である、低密度ポリエチレン、直鎖状低密度ポリエチレン、高密度ポリエチレン、あるいは環状ポリオレフィン系樹脂、ポリエチレンテレフタレート樹脂などを使うことができる。
【００３１】
またスパウト（２）の成形方法についても、特段の限定を加えるものではないが、たとえば前記樹脂を用いたインジェクション成型によっても、成形品を得ることが可能である。
【００３２】
蓋シール（１０）は、シーラント層（４）およびプラスチックフィルム層（５）を含む積層体で構成される。図１に示す例においては、シーラント層（４）、およびプラスチックフィルム層（５）が直接積層されている例である。
【００３３】
蓋シール（１０）によって、スパウト（２）の開口部（３）は密封され、飲料水容器は容器内側と、容器外側が遮断される。
【００３４】
また図１に示す例においては、プラスチックフィルム層（５）が延長されてあり、この延長部分をタブ（６）として設けた例である。このタブ（６）を手指でつまんで引っ張ることによって、後述するプラスチックフィルム層（５）の剥離を、より容易に行なうことができ便利である。
【００３５】
図２は、本発明に係る飲料水容器の一実施態様において、蓋シールの表面のプラスチックフィルム層を剥離した状態を説明するための、部分断面模式図である。
【００３６】
本発明による飲料水容器において、蓋シール（１０）はシーラント層（４）によって、スパウト（２）の開口部（３）にシールされており、ウォーターサーバー側とのニードルによる穿孔、接続に先立って、飲料水容器外側表面のプラスチックフィルム層（５）は容易に剥離することができる。
【００３７】
この飲料水容器外側表面のプラスチックフィルム層（５）の剥離によって、その外側表面に付着していた塵埃（２０）あるいは汚れ等も同時に除去されるために、穿孔作業によるウォーターサーバー側との接続において、塵埃（２０）の飲料水容器内部への侵入おそれは軽減される。
【００３８】
図２に示す例においては、蓋シール（１０）の飲料水容器外側表面のプラスチックフィルム層（５）のタブ（６）を引っ張って、プラスチックフィルム層（５）を剥離させ、分離した例である。この例においては、剥離形態はシーラント層（４）とプラスチックフィ
ルム（５）との間で、界面剥離した例である。したがってプラスチックフィルム（５）を剥離した後には、シーラント層（４）が露出した状態となる。
【００３９】
シーラント層（４）とプラスチックフィルム層（５）との剥離は、容易にかつ安定して剥離するもので、手指による剥離が可能であって、必要に応じてタブ（６）を設けて、この部分をつまんで引っ張って容易に剥離することができる。
【００４０】
図３は、本発明に係る飲料水容器の一実施態様において、蓋シールの表面のプラスチックフィルム層を剥離したのち、ニードルによる穿孔およびウォーターサーバー側への接続の状態を説明するための、部分断面模式図である。
【００４１】
本発明による飲料水容器において、蓋シール（１０）の表面のプラスチックフィルム層（５）を剥離した後に、ウォーターサーバー側のニードル（７）をスパウト（２）に挿入することによる穿孔によって、飲料水をウォーターサーバー側に注出可能とした状態を表している。
【００４２】
図３に示す例において、ニードル（７）のスパウトへの挿入によって、蓋シール（１０）のシーラント層（４）は穿孔され、ニードル（７）に付随したウォーターサーバー側パッキン（８）がスパウト（２）の開口部（３）に密着してスパウト（２）の開口部を密閉し、ホース状のパーツ（９）が飲料水をウォーターサーバー側に注出する。ニードル（７）表面には取水口、内部には流路が設けてあって、飲料水の流れは図中矢印（１１）で示してある。
【００４３】
また、図３に示す例においては、穿孔は下方から上方に向かってなされており、したがって取水口（１４）から注出された飲料水は、重力によって矢印（１１）方向に注出可能である。
【００４４】
あるいは、飲料水を吸引する機構が備えてある場合にはスパウト（２）の配置、およびニードル（７）による穿孔の方向は下方からに限定するものではなく任意である。
【００４５】
図４は、本発明に係る飲料水容器の他の実施態様のうち、ハクリニス層を設けた例を説明するための、部分断面模式図である。
【００４６】
前述のように、蓋シール（１０）は、飲料水容器内側から、シーラント層（４）、ハクリニス層（１２）、プラスチックフィルム層（５）から構成することができる。
【００４７】
図４で示す例においては、シーラント層（４）とプラスチックフィルム層（５）との間にハクリニス層（１２）を設けることによって、蓋シール（１０）表面のプラスチックフィルム層（５）の剥離を、容易にかつ安定して実現することができる。
【００４８】
ハクリニス層（１２）は、ハクリニスをコーティングなどの手法によって塗布し層形成してもよく、あるいはプラスチックフィルム層（５）の多層押し出しによって層形成することも可能である。
【００４９】
図５は、本発明に係る飲料水容器の他の実施態様のうち、ハクリニス層を設けた例において、凝集剥離する場合を説明するための、部分断面模式図である。
【００５０】
図５に示す例において、剥離はハクリニス層（１２）の内部で発生しており、剥離した面の両方にハクリニス層（１２）が残留している状態である。
【００５１】
これはたとえば、ホットメルトタイプの樹脂をハクリニスとして用いることによっても実現できるのであって、一定の温度条件下において、蓋シール（１０）表面のプラスチックフィルム層（５）の剥離を、容易にかつ安定して実現することができる。
【００５２】
図６は、本発明に係る飲料水容器の他の実施態様のうち、ハクリニス層を設けた例において、層間剥離する場合を説明するための、部分断面模式図である。
【００５３】
図６に示す例において、剥離はシーラント層（４）とハクリニス層（１２）との層間で発生している状態である。
【００５４】
これはたとえば、市販のイージーピールフィルムを用いて実現することも可能であって、蓋シール（１０）表面のプラスチックフィルム層（５）の剥離を、容易にかつ安定して実現することができる。
【００５５】
図７は、本発明に係る飲料水容器の実施態様のうち、ハクリニス層を設けた例において蓋シールにハーフカット線を設けた場合を説明するための、部分断面模式図である。
【００５６】
本発明による飲料容器において、蓋シール（１０）には、飲料水容器内側からハーフカット線（１３）を設けることができる。このハーフカット線（１３）は、プラスチックフィルム層（５）を剥離したあとのシーラント層（４）に脆弱性を与え、より安定した飲料水容器の穿孔、それによる飲料水の注出を実現することができる。
【００５７】
このハーフカット線（１３）は、蓋シール（１０）のシーラント層（４）に設けるものであるが、その形状については特段の限定を加えるものではなく、蓋シール（１０）の表裏にわたって貫通していないこと、シーラント層（４）の脆弱化に資することに配慮すれば、任意の形状でよい。
【００５８】
このように、飲料水容器において、ウォーターサーバーのボトルホルダーに設置して、飲料水をウォーターサーバー側に注出する際に、注出のための飲料水容器のスパウト（２）に、ウォーターサーバー側のニードル（７）を穿孔する作業を行なうことがある。
【００５９】
本発明による飲料水容器においては、このとき、穿孔に先立ってスパウト（２）の開口部に設けられた蓋シール（１０）の表面のプラスチックフィルム層（５）を剥離、除去して後ニードル（７）のスパウト（２）への挿入、穿孔を行う。
【００６０】
これにより、飲料水容器の外部、特にスパウト（２）周辺に付着している可能性のある塵埃や汚れなどが、容器内部へ侵入することを防止することができ、飲料水の衛生性を保ち、また風味の低下を回避することができる。
【００６１】
すなわち、本発明が課題とするところの、ウォーターサーバーに装着可能で、容器の開封に際しては、容器外側に付着した塵埃等が飲料水に混入することを防止することが可能で、かつ飲料水の風味の劣化も防止することが可能な、飲料水容器の提供が可能である。
【符号の説明】
【００６２】
１・・・プラスチックフィルムを基材とする積層体
２・・・スパウト
３・・・開口部
４・・・シーラント層
５・・・プラスチックフィルム層
６・・・タブ
７・・・ニードル
８・・・パッキン
９・・・ホース状のパーツ
１０・・・蓋シール
１１・・・矢印
１２・・・ハクリニス層
１３・・・ハーフカット線
１４・・・取水口
２０・・・塵埃
【図１】
2020066437.tif 000003
【図２】
2020066437.tif 000004
【図３】
2020066437.tif 000005
【図４】
2020066437.tif 000006
【図５】
2020066437.tif 000007
【図６】
2020066437.tif 000008
【図７】
2020066437.tif 000009